(57)【要約】【課題】発光形態と照明取付部材への取付構造が異なる照明ユニットにあって、部品を極力共有化できる照明ユニットを提供する。【解決手段】発光ダイオード２と発光ダイオード２から外部間の回路を構成する回路体である回路基板３及びバスバー３０とを収容するハウジング１０を有し、ハウジング１０には、発光ダイオード２からの光をハウジング１０の外部に出射する第１態様のカバー４０と、照明取付部材の取付穴に取付けできるカバー側取付部５５を有し、且つ、発光ダイオード２からの光を取付穴を介してハウジング１０の外部に出射する第２態様のカバー５０とを選択的に装着できる。【選択図】図１
2018118687.tif 000002
【特許請求の範囲】
【請求項１】
光源と前記光源から外部間の回路を構成する回路体とを収容するハウジングを有し、
前記ハウジングには、前記光源からの光を前記ハウジングの外部に出射する第１態様のカバーと、照明取付部材の取付穴に取付けできるカバー側取付部を有し、且つ、前記光源からの光を前記取付穴を介して前記ハウジングの外部に出射する第２態様のカバーとを選択的に装着できることを特徴とする照明ユニット。
【請求項２】
請求項１記載の照明ユニットであって、
前記ハウジングには、前記照明取付部材に取付けるハウジング側取付部が設けられていることを特徴とする照明ユニット。
【請求項３】
請求項１又は請求項２記載の照明ユニットであって、
第１態様の前記カバーと第２態様の前記カバーには変形規制用リブがそれぞれ設けられ、前記ハウジングには前記変形規制用リブが選択的に入り込む変形規制用溝が設けられていると共に、前記カバー側取付部が回転によって前記照明取付部材の取付穴に取付けされることを特徴とする照明ユニット。
【発明の詳細な説明】
【技術分野】
【０００１】
本発明は、車両の室内等に使用される照明ユニットに関する。
【背景技術】
【０００２】
例えば、車両には、種々の場所（ドアカーテシー照明、足元照明、マップ照明、充電口照明等）に照明ユニットが設置される。照明ユニットは、その設置場所に応じて発光形態が異なったものが使用され、又、取付構造も異なったものが適用される。
【０００３】
例えば、発光面となるカバー側が外部より目立つ位置で、意匠面を構成するような照明ユニットでは、カバーの全体を露出した状態で照明取付部材に取付ける構造が使用される。又、発光面となるカバーが外部より目立たない位置に配置される照明ユニットでは、照明取付部材であるパネルに開口された取付穴に取り付ける構造（特許文献１参照）が適用される。
【０００４】
そして、従来では、所望の発光形態と取付構造に適合する照明ユニットを個々に設計・作製していた。
【先行技術文献】
【特許文献】
【０００５】
【特許文献１】特開２００１−２４３８２９号公報
【発明の概要】
【発明が解決しようとする課題】
【０００６】
このような実情に鑑み、発光形態と取付構造が異なる複数パターンの照明ユニットにあって、照明ユニットの部品を極力共有化したいという要請がある。
【０００７】
そこで、本発明は、前記した課題を解決すべくなされたものであり、発光形態と照明取付部材への取付構造が異なる照明ユニットにあって、部品を極力共有化できる照明ユニットを提供することを目的とする。
【課題を解決するための手段】
【０００８】
本発明は、光源と前記光源から外部間の回路を構成する回路体とを収容するハウジングを有し、前記ハウジングには、前記光源からの光を前記ハウジングの外部に出射する第１態様のカバーと、照明取付部材の取付穴に取付けできるカバー側取付部を有し、且つ、前記光源からの光を前記取付穴を介して前記ハウジングの外部に出射する第２態様のカバーとを選択的に装着できることを特徴とする照明ユニットである。
【発明の効果】
【０００９】
本発明によれば、照明ユニットは、第１態様のカバーと第２態様のカバーを装着した場合では、発光形態が異なるものとなる。又、第２態様のカバーを装着した場合には、第２態様のカバーを利用して照明取付部材の取付穴に取り付けできる。このように発光形態と照明取付部材への取付構造が異なる照明ユニットを作製するのに、カバーを組み換えれば良いため、カバー以外の部品を共有化できる。
【図面の簡単な説明】
【００１０】
【図１】本発明の一実施形態を示し、照明ユニットの分解斜視図である。
【図２】本発明の一実施形態を示し、（ａ）は第１態様のカバーを装着した照明ユニットの斜視図、（ｂ）は第２態様のカバーを装着した照明ユニットの斜視図である。
【図３】本発明の一実施形態を示し、図２（ａ）のＡ−Ａ線断面図である。
【図４】本発明の一実施形態を示し、図２（ｂ）のＢ−Ｂ線断面図である。
【図５】本発明の一実施形態を示し、ハウジングの斜視図である。
【図６】本発明の一実施形態を示し、ハウジングの一部破断斜視図である。
【図７】本発明の一実施形態を示し、ハウジングの側面図である。
【図８】本発明の一実施形態を示し、ハウジングの平面図である。
【図９】本発明の一実施形態を示し、一対のバスバーの斜視図である。
【図１０】本発明の一実施形態を示し、回路基板の斜視図である。
【図１１】本発明の一実施形態を示し、（ａ）は第１態様のカバーの表面側を見た斜視図、（ｂ）第１態様のカバーの内面側を見た斜視図である。
【図１２】本発明の一実施形態を示し、第２態様のカバーの斜視図である。
【図１３】本発明の一実施形態を示し、インナー部材の斜視図である。
【図１４】本発明の一実施形態を示し、照明ユニットの組付け過程で、バスバーを把持した状態を示す斜視図である。
【図１５】本発明の一実施形態を示し、照明ユニットの組付け過程で、バスバーをバスバーガイドレール上に載置した状態を示す斜視図である。
【図１６】本発明の一実施形態を示し、（ａ）は照明ユニットの組付け過程で、バスバーが挿入完了位置に位置する状態を示す斜視図、（ｂ）は（ａ）の状態の断面図である。
【図１７】本発明の一実施形態を示し、照明ユニットの組付け過程で、回路基板の挿入開始状態を示す斜視図である。
【図１８】本発明の一実施形態を示し、照明ユニットの組付け過程で、回路基板が挿入完了位置に位置する状態を示す斜視図である。
【図１９】本発明の一実施形態を示し、照明ユニットの組付け過程で、回路基板が挿入完了位置に位置する状態を示す断面図である。
【図２０】本発明の一実施形態を示し、照明ユニットの組付け過程で、第１態様のカバーの装着前を示す側面図である。
【図２１】本発明の一実施形態を示し、照明ユニットの組付け過程で、第２態様のカバー及びインナー部材の装着前を示す斜視図である。
【図２２】照明ユニットの組付け過程で、インナー部材をハウジングに組み付けた状態を示す平面図である。
【図２３】本発明の一実施形態を示し、（ａ）は第１キャップをハウジングに装着する前を示す斜視図、（ｂ）は第１キャップを装着した照明ユニットの斜視図である。
【図２４】本発明の一実施形態を示し、第２キャップの斜視図である。
【図２５】本発明の一実施形態を示し、第１カバーを装着した照明ユニットをレンズカバーに取付ける前の状態を示す斜視図である。
【図２６】本発明の一実施形態を示し、第１カバーを装着した照明ユニットをレンズカバーに取付けた後の状態を示す斜視図である。
【図２７】本発明の一実施形態を示し、照明取付部材の取付穴周辺の正面図である。
【発明を実施するための形態】
【００１１】
以下、本発明の実施形態を図面に基づいて説明する。
【００１２】
（全体概略構成）
図１及び図２に示すように、照明ユニット１Ａ，１Ｂは、光源である発光ダイオード２と、発光ダイオード２と外部間の回路を構成する回路体である回路基板３及び一対のバスバー３０と、発光ダイオード（ＬＥＤ）２、回路基板３及び一対のバスバー３０を収容するハウジング２０とを備えている。このハウジング２０には、第１態様のカバー４０と第２態様のカバー５０とが選択的に装着可能に設けられている。第２態様のカバー５０の装着時には、インナー部材６０がハウジング１０に組み付けられる。以下、各部品の詳細な構成を説明する。
【００１３】
（ハウジング）
図５〜図８等に示すように、ハウジング１０は、光を透過させない部材より形成されている。ハウジング１０は、概略外形が直方体である。ハウジング１０は、部品収容室１１とコネクタ嵌合室１２を有する。部品収容室１１とコネクタ嵌合室１２の間には、仕切壁１３が設けられている。部品収容室１１は、底壁１４と一対の側壁１５と仕切壁１３に囲まれており、上面と前面が開口されている。この開口箇所を第１態様のカバー４０又は第２態様のカバー５０が覆う。部品収容室１１には、発光ダイオード２と、発光ダイオード２が搭載された回路基板３と、バスバー３０とが収容される。
【００１４】
部品収容室１１の底壁１４には、周囲の底面より一段下がった段差によって一対のバスバーガイドレール１６が形成されている。一対のバスバーガイドレール１６は、部品収容室１１の前面側開口より仕切壁１３に向かって延びている。部品収容室１１の底壁１４には、各バスバーガイドレール１６の底面側に押圧部進入溝１８がそれぞれ形成されている。
【００１５】
部品収容室１１の一対の側壁１５の内面には、一対のロック用突起２０が２箇所に設けられている。各ロック用突起２０は、側壁１５の内面側を切り欠くことで形成されている。つまり、各ロック用突起２０の上面は、他の側壁１５の内面と同じ高さである。
【００１６】
部品収容室１１の一対の側壁１５には、各側壁１５の２箇所のロック用突起２０の間の位置に、一対の変形規制用溝２１が１箇所設けられている。各変形規制用溝２１は、上面が開口し、側方から見て四角形である。
【００１７】
部品収容室１１の一対の側壁１５には、一対のインナー部材保持溝２４が設けられている。各インナー部材保持溝２４は、各変形規制用溝２１より下方位置に位置し、変形規制用溝２１に開口している。
【００１８】
仕切壁１３には、その中央位置にインナー部材支持台２２が設けられている。インナー部材支持台２２の後面には、基板位置決め突起２６が突設されている。仕切壁１３には、その左右位置に一対の端子貫通孔２５が設けられている。各端子貫通孔２５は、部品収容室１１とコネクタ嵌合室１２の間を貫通している。又、仕切壁１３及び側壁１５には、部品収容室１１側に突出する一対のバスバー規制壁２７が設けられている。
【００１９】
ハウジング１０の一対の側壁１５には、コネクタ嵌合室１２の外面側に一対のハウジング側取付部であるレンズカバー用ロック突起２８がそれぞれ設けられている。一対のレンズカバー用ロック突起２８は、下記に詳述するように、照明取付部材であるレンズカバー９０の一対の係止穴９３に係止される。
【００２０】
ハウジング１０の一対の側壁１５には、部品収容室１１の外面側に一対のキャップ用ロック突起２９が設けられている。
【００２１】
（バスバー）
図９等に示すように、各バスバー３０は、所定形状の導電性金属板を折曲することで形成されている。各バスバー３０は、回路基板３に電気的に接続する部位である基板接点部３１と、ハウジング１０に導かれた外部配線（図示せず）に電気的に接続する部位であるタブ端子３２とを有する。基板接点部３１は、連結プレート３３と連結プレート３３を介して互いに間隔を置いて対向配置されたプレート状の固定接点部３４とばね接点部３５を有する。固定接点部３４は、ばね接点部３５よりも長く形成されている。固定接点部３４の先端には、直角に折曲された押圧片部３６が設けられている。押圧片部３６の大きさは、押圧進入溝１８の断面寸法より少しだけ小さく形成されている。押圧片部３６は、その側面と底面が押圧部進入溝１８の側面及び底面に近接しつつ移動する。
【００２２】
ばね接点部３５は、連結プレート３３に片持ち支持されている。ばね接点部３５の先端は、固定接点部３４に向かって湾曲する円弧状に形成されている。ばね接点部３５の円弧状の箇所には、固定接点部３４に向かって突出するインデント部３７が設けられている。
【００２３】
ばね接点部３５には、突起３８が設けられている。バスバー３０がハウジング１０に収容された位置（バスバー挿入完了位置）では、突起３８が仕切壁１３のバスバー規制壁２７に当接する（図１６（ｂ）参照）。
【００２４】
ばね接点部３５には、直角に折曲された把持片部３９が設けられている。把持片部３９は、ハウジング１０内への収容姿勢では、部品収容室１１の上面開口に向かう方向に立設している。
【００２５】
タブ端子３２は、ハウジング１０内の収容位置では、コネクタ嵌合室１２に配置されている。
【００２６】
（発光ダイオード、回路基板）
図１０等に示すように、発光ダイオード２は、回路基板３上に搭載されている。
【００２７】
回路基板３には、発光ダイオード２と共に他の電子部品が搭載され、且つ、回路パターンが設けられ、発光ダイオード２の駆動回路が構成されている。回路パターンの一部として一対の接点部３ａが形成されている。一対の接点部３ａは、回路基板３の対応する上下面に配置されている（図面では、裏面の接点部が非表示）。部品収容室１１の収容位置では、バスバー３０の固定接点部３４とばね接点部３５の間に一対の接点部３ａが挟持され、ばね接点部３５のばね復帰力を接点圧として基板接点部３１と回路基板３間が電気的に接続される。
【００２８】
回路基板３は、扁平直方体であり、部品収容室１１への挿入先端面と挿入後端面には、位置決め溝３ｂがそれぞれ設けられている。部品収容室１１の収容位置では、回路基板３の挿入先端面の位置決め溝３ｂに仕切壁１３の基板位置決め突起２６が入り込んでいる。部品収容室１１の収容位置では、回路基板３の挿入後端面の位置決め溝３ｂに第１態様のカバー４０の基板位置決め突起４７、又は、インナー部材６０の基板位置決め突起６４が入り込んでいる。
【００２９】
（第１態様のカバー）
図１１等に示すように、第１態様のカバー４０は、光を透過させる部材より形成されている。第１態様のカバー４０は、ハウジング１０の部品収容室１１の上面開口と前面開口に隙間なく入り込むＬ字状の閉塞プレート部４１を有する。閉塞プレート部４１の上面高さは、ハウジング１０の上面高さである。
【００３０】
閉塞プレート部４１の両側面には、一対のロック爪４２が２箇所に設けられている。各ロック爪５２は、閉塞プレート部５１の側面より外側に突出している。
【００３１】
閉塞プレート部４１の両側面には、２箇所の一対のロック爪４２の間の位置に、一対の変形規制用リブ４４が突設されている。一対の変形規制用リブ４４は、一対のロック爪４２よりも外側に突出している。
【００３２】
閉塞プレート部４１の内面には、一対のバスバー抜け阻止用リブ４６が下方に向かって突設されている。第１態様のカバー４０がハウジング１０に装着された状態では、バスバー抜け阻止用リブ４６がバスバー３０の把持片部３９のバスバー抜け側に位置する。
【００３３】
閉塞プレート部４１の前面部分の内面には、基板位置決め突起４７が設けられている。第１態様のカバー４０がハウジング１０に装着された状態では、基板位置決め突起４７が回路基板３の挿入後端面の位置決め溝３ｂに入り込む。
【００３４】
第１態様のカバー４０は、変形規制用リブ４４がハウジング１０の変形規制用溝２１に入り込み、且つ、各ロック爪４２がハウジング１０の各ロック用突起２０に係止することにより、ハウジング１０に装着される。第１態様のカバー４０は、ハウジング１０内に一対のバスバー３０、回路基板３が不適正な状態で収容されている場合には、どこかの部位が一対のバスバー３０や回路基板３に不適正に干渉し、ロック爪４２でロック用突起２０が係止されないようになっている。
【００３５】
第１態様のカバー４０がハウジング１０に装着されると、第１態様のカバー４０のほぼ全域で発光する発光形態の照明ユニット１Ａ（図２（ａ）参照）となる。
【００３６】
（第２態様のカバー）
図１２等に示すように、第２態様のカバー５０は、光を通過させない部材より形成されている。第２態様のカバー５０は、ハウジング１０の部品収容室１１の上面開口と前面開口に隙間なく入り込むＬ字状の閉塞プレート部５１を有する。閉塞プレート部５１の上面高さは、ハウジング１０の上面高さである。
【００３７】
閉塞プレート部５１の上面側に回転支持部である円筒部（筒部）５３が設けられている。円筒部５３は、閉塞プレート部５１の上面より突出している。円筒部５３は、その内部が開口（空間）に形成されている。円筒部５３の外周には、カバー側取付部５５が設けられている。
【００３８】
カバー側取付部５５は、円筒部５３の外周面に沿って設けられている。カバー側取付部５５は、円筒部５３の１８０度対向位置に配置され、円筒部５３の外周より突出する一対の回転ストッパ壁５５ａと、この各回転ストッパ壁５５ａを片持ち支持部として円筒部５３の外周面に沿ってそれぞれ延びる弾性円弧アーム部５５ｂと、各弾性円弧アーム５５ｂの先端に設けられた係止爪５５ｃとを有する。
【００３９】
第２態様のカバー５０は、円筒部５３の外周に設けられたカバー側取付部５５によって、照明取付部材（例えば車体パネルのトリム）１００の取付穴１０１（図２５に示す）に取り付けされる。取付け手順については、下記する。
【００４０】
第２態様のカバー５０にも、第１態様のカバー４０と同様の位置に同様な構造の２箇所の一対のロック爪５２及び一対の変形規制用リブ５４が設けられている。
【００４１】
第２態様のカバー５０及び下記するインナー部材６０がハウジング１０に装着された場合には、円筒部５３内からのみ光が発光する発光形態の照明ユニット１Ｂとなる(図２（ｂ）参照）。
【００４２】
（インナー部材）
図１３等に示すように、インナー部材６０は、光を透過させる部材より形成されている。インナー部材６０は、ハウジング１０の部品収容室１１の上面開口にほぼ隙間なく入り込むサイズに形成されている。インナー部材６０には、部品収容室１１に収容された状態で、発光ダイオード２の真上となる位置に周囲より一段高い円形部６１が設けられている。インナー部材６０には、一対のバスバー抜け防止肩面６２が形成されている。インナー部材６０が部品収容室１１に収容された状態では、一対のバスバー抜け防止肩面６２は、バスバー３０の把持片部３９のバスバー抜け側に位置する。
【００４３】
インナー部材６０の両側縁には、一対の側端自重受けリブ６３が突設されている。インナー部材６０の先端部には、先端自重受けリブ６５が設けられている。インナー部材６０が部品収容室１１に収容された状態では、一対の側端自重受けリブ６３が一対のインナー部材保持溝２４に入り込んでその底面に載置され、且つ、先端自重受けリブ６５がハウジング１０のインナー部材支持台２２に載置される。インナー部材６０には、基板位置決め突起６４が設けられている。インナー部材６０が部品収容室１１に収容された状態では、基板位置決め突起６４が回路基板３の挿入後端面の位置決め溝３ｂに入り込む。
【００４４】
インナー部材６０は、一対のバスバー３０、回路基板３が不適正な状態でハウジング１０内に収容されている場合には、第２態様のカバー５０がハウジング１０にロックできないようにする機能、つまり、半嵌合機能を有する。
【００４５】
（第１キャップ）
図２３に示すように、第１キャップ７０は、光を透過させる部材より形成されている。第１キャップ７０は、キャップ本体７１と、このキャップ本体７１の両側縁より折曲部を介して延設された一対の弾性係止アーム部７２とを備えている。
【００４６】
キャップ本体７１は、周囲の面より突出された円筒部７３と、この円筒部７３内の上面を覆う意匠カバー部７４とを有する。キャップ本体７１の底面側には、円筒部７３と意匠カバー部７４によって嵌合凹部（符号を付さず）が形成されている。円形の嵌合凹部は、第２態様のカバー５０の円筒部５３及びカバー取付部５５が入り込む寸法に形成されている。
【００４７】
円筒部７３の外側には、第２態様のカバー５０の円筒部５３のカバー側取付部５５と同様な構成から成るキャップ側取付部７５が設けられている。つまり、キャップ側取付部７５は、一対の回転ストッパ壁７５ａと、各回転ストッパ壁７５ａに片持ち支持された一対の弾性円弧アーム部７５ｂと、一対の係止爪７５ｃとを有する。
【００４８】
一対の弾性係止アーム７２には、ロック孔７２ａがそれぞれ形成されている。
【００４９】
一対の弾性係止アーム部７２をその弾性変形を利用してハウジング１０の上方から左右の側壁１５の外側に押し込み、第１キャップ７０の一対のロック孔７２ａにハウジング１０の一対のキャップ用ロック突起２９がロックされる。これで、図２３（ｂ）に示すように、第１キャップ７０が第２態様のカバー５０が装着された照明ユニット１Ｂに組み付けされる。
【００５０】
第１キャップ７０を装着した照明ユニット１Ｂは、意匠カバー部７４が面発光する発光形態の照明ユニット１Ｂとなる。
【００５１】
第１キャップ７０を装着した照明ユニット１Ｂは、キャップ側取付部７５を利用して照明取付部材１００の取付穴（図示せず）に取付けすることができる。
【００５２】
（第２キャップ）
図２４に示すように、第２キャップ８０は、光を透過させない部材より形成されたキャップ本体８１と、このキャップ本体８１の両側縁より折曲部を介して延設された一対の弾性係止アーム部８２とを備えている。キャップ本体８１には、円筒部８３が設けられている。円筒部８３には、導光ロッド８４の基部が挿入されている。導光ロッド８４の基部以外は、外部に露出している。
【００５３】
一対の弾性係止アーム８２には、ロック孔８２ａがそれぞれ形成されている。この第２キャップ８０は、第１キャップ７０と同様にしてハウジング１０に組み付けされる。
【００５４】
第２キャップ８０を装着した照明ユニット１Ｂは、導光ロッド８４が面発光する発光形態の照明ユニット１Ｂとなる。
【００５５】
第２キャップ８０を装着した照明ユニット１Ｂは、ハウジング側取付部であるレンズカバー用ロック突起２８を利用して照明取付部材１００の取付部位（図示せず）に取付けすることができる。
【００５６】
（照明ユニットの組み付け手順）
次に、照明ユニット１Ａ，１Ｂの組み付け手順を説明する。
【００５７】
図１４に示すように、バスバー３０の把持片部３９をチャック治具１１０で把持し、バスバー３０をそのタブ端子３２を先端としてハウジング１０の部品収容室１１のバスバーガイドレール１６に載せる。
【００５８】
図１５に示すように、バスバーガイドレール１６に載せた各バスバー３０の押圧片部３６を矢印方向に押す。すると、各バスバー３０がバスバーガイドレール１６にガイドされて部品収容室１１の奥に向かって移動し、タブ端子３２が仕切壁１３の端子貫通孔２５に進入し、コネクタ嵌合室１２に入り込む。バスバー３０の連結プレート部３３の先端が仕切壁１３に突き当たる位置がバスバー挿入完了位置である。
【００５９】
図１６（ａ）、（ｂ）に示すように、バスバー挿入完了位置では、各バスバー３０のタブ端子３２がコネクタ嵌合室１２に突出状態で配置され、且つ、バスバー３０の基板接点部３１が部品収容室１１に配置される。バスバー挿入完了位置では、図１６（ｂ）に示すように、ばね接点部３５の突起３８が仕切壁１３のバスバー規制壁２７に当接する。
【００６０】
次に、図１７に示すように、回路基板３をハウジング１０の部品収容室１１に挿入する。回路基板３を部品収容室１１に挿入する過程で、回路基板３の挿入先端側がバスバー３０の固定接点部３４とばね接点部３５の間に入り込む。回路基板３の位置決め溝３ｂに仕切壁１３の位置決め突起２６が入り込んで突き当たる位置が回路基板３の挿入完了位置である。図１８及び図１９に示すように、回路基板３の挿入完了位置では、回路基板３の一対の接点部３ａがバスバー３０の固定接点部３４とばね接点部３５の間に挟持され、ばね接点部３５のばね復帰力を接点圧として基板接点部３１と回路基板３間が電気的に接続される。
【００６１】
第１態様のカバー４０を装着する場合には、図２０に示すように、ハウジング１０の部品収容室１１の上方より第１態様のカバー４０を組み付ける。すると、第１態様のカバー４０の変形規制用リブ４４がハウジング１０の変形規制用溝２１に入り込み、且つ、第１態様のカバー４０の各ロック爪４２が弾性変形でハウジング１０の各ロック用突起２０に係止される。これで、第１態様のカバー４０を装着した照明ユニット１Ａの組み付けが完了する。
【００６２】
第２態様のカバー５０を装着する場合には、図２１に示すように、先ず、ハウジング１０の部品収容室１１の上方より、一対の側端自重受けリブ６３を一対のインナー部材保持溝２４に位置合わせして、インナー部材６０を部品収容室１１に挿入する（図２２参照）。
【００６３】
次に、ハウジング１０の部品収容室１１の上方より第２態様のカバー５０を組み付ける。すると、第２態様のカバー５０の変形規制用リブ５４がハウジング１０の変形規制用溝２１に入り込み、且つ、第２態様のカバー５０の各ロック爪５２が弾性変形でハウジング１０の各ロック用突起２０に係止される。これで、第２態様のカバー５０を装着した照明ユニット１Ｂの組み付けが完了する。
【００６４】
（照明ユニット１Ａのレンズカバーへの取付手順）
次に、第１態様のカバー４０を装着した照明ユニット１Ａを第１の照明取付部材であるレンズカバー９０に取付ける手順を説明する。図２５、図２６に示すように、レンズカバー９０は、光を透過させる部材より形成されている。レンズカバー９０は、発光プレート部９１と、発光プレート部９１の裏面側に固定された取付脚部９２Ａ，９２Ｂとを有する。一対の取付け脚部９２Ａの先端部には、一対の係止穴９３が設けられている。
【００６５】
図２５に示すように、照明ユニット１Ａのハウジング１０をレンズカバー９０の一対の取付け脚部９２Ａに位置合わせし、一対の取付け脚部９２Ａ内に挿入する。すると、一対の取付け脚部９２Ａが互いに離間する方向に弾性変形する。弾性変形した一対の取付け脚部９２Ａ内にハウジング１０が入り込み、一対のレンズカバー用ロック突起２８が一対の係止穴９３に係止される（図２６参照）。これで、第１態様のカバー４０を装着した照明ユニット１Ａのレンズカバー９０への装着が完了する。照明ユニット１Ａを装着したレンズカバー９０を車体に組み付ければ完了する。
【００６６】
（照明ユニット１Ｂの取付穴への取付手順）
次に、第２態様のカバー５０を装着した照明ユニット１Ｂを照明取付部材１００の取付穴１０１に取付ける手順を説明する。図２７に示すように、照明取付部材（例えば車体パネルのトリム）１００の取付穴１０１は、小径部１０１ａと大径部１０１ｂが組み合わされ、小径部１０１ａの外縁側が挟持部１０１ｃとされた変則円形の穴である。
【００６７】
先ず、カバー側取付部５５を大径部１０１ｂの位置に合わせ、取付穴１０１に円筒部５３と共にカバー側取付部５５を挿入し、カバー側取付部５５が照明取付部材１００の反対面側に突き出る位置まで挿入する。次に、カバー側取付部５５を回転する。すると、弾性円弧アーム部５５ｂが弾性変形し、係止爪５５ｃが挟持部１０１ｃに載り、第２態様のカバー５０の回転が許容される。係止爪５５ｃが挟持部１０１ｃを乗り越える位置まで回転する。すると、弾性円弧アーム部５５ｂが弾性復帰変形し、カバー側取付部５５の回転ストッパ壁５５ａと係止爪５５ｃが挟持部１０１ｃの両端面間を挟み込む。これで、第２態様のカバー５０を用いて照明ユニット１Ｂが照明取付部材１００の取付穴１０１に取り付けされ、照明ユニット１Ｂの設置が完了する。
【００６８】
（キャップの組み付け）
図２３（ａ）に示すように、第１キャップ７０を、第２態様のカバー５０を装着した照明ユニット１Ｂに装着するには、  一対の弾性係止アーム部７２をその弾性変形を利用し、ハウジング１０の上方から左右の側壁１５の外側に押し込む。すると、第１キャップ７０の嵌合凹部（図示せず）に第２態様のカバー５０の円筒部５３が入り込み、且つ、第１キャップ７０の一対のロック孔７２ａにハウジング１０の一対のキャップ用ロック突起２９がロックされる。これで、第１キャップ７０が装着される。照明ユニット１Ｂは、意匠カバー７４が発光面となる発光形態のものとなる。
【００６９】
図２４に示す第２キャップ８０を、第２態様のカバー５０を装着した照明ユニット１Ｂに装着するにも、第１キャップ７０と同様にして装着できる。照明ユニット１Ｂは、導光ロッド８４が発光する発光形態のものとなる。
【００７０】
（実施形態の効果）
以上、照明ユニット１Ａ，１Ｂは、発光ダイオード２と発光ダイオード２から外部間の回路を構成する回路体である回路基板３及びバスバー３０とを収容するハウジング１０を有し、ハウジング１０には、発光ダイオード２からの光をハウジング１０の外部に出射する第１態様のカバー４０と、照明取付部材１００の取付穴１０１に取付けできるカバー側取付部５５を有し、且つ、発光ダイオード２からの光を取付穴１０１を介してハウジング１０の外部に出射する第２態様のカバー５０とを選択的に装着できる。
【００７１】
従って、照明ユニット１Ａ，１Ｂは、第１態様のカバー４０と第２態様のカバー５０を装着した場合では、発光形態が異なるものとなる。又、第２態様のカバー５０を装着した場合には、第２態様のカバー５０を利用して照明取付部材１００の取付穴１０１に取り付けできるものとなる。このようにカバーを組み換えることにより、発光形態と照明取付部材１００への取付構造が異なる照明ユニット１Ａ，１Ｂを得ることで出来るため、カバー４０，５０以外の部品を共有化できる。
【００７２】
ハウジング１０には、照明取付部材１００であるレンズカバー９０に取付けるハウジング側取付部であるレンズカバー用ロック突起２８が設けられている。従って、第１態様のカバー４０を装着した照明ユニット１Ａは、レンズカバー用ロック突起２８を利用して照明取付部材であるレンズカバー９０に取付けできる。第２態様のカバー５０を装着した照明ユニット１Ｂは、カバー側取付部５５を利用して照明取付部材１００の取付穴１０１に取付けできる。又、第２態様のカバー５０を装着した照明ユニット１Ｂは、レンズカバー用ロック突起２８を利用して照明取付部材であるレンズカバー９０に取付けできるため、異なる取付構造に対応できる。
【００７３】
第１態様のカバー４０と第２態様のカバー５０には変形規制用リブ４４，５４がそれぞれ設けられ、ハウジング１０には変形規制用リブ４４，５４が選択的に入り込む変形規制用溝２１が設けられていると共に、カバー側取付部５５が回転によって照明取付部材１００の取付穴１０１に取付けされる。
【００７４】
従って、第２態様のカバー５０をハウジング１０に装着した場合にあって、ハウジング１０を回転し、照明取付部材１００の取付穴１０１に回転取付けする時には、ハウジング１０が第２態様のカバー５０より反力を受けるが、反力を変形規制用溝２１でハウジング１０が受けるため、第２態様のカバー５０がハウジング１０から外れるのを極力防止できる。
【００７５】
回路体は、発光ダイオード２が搭載された回路基板３と、回路基板３に電気的に接続する部位と外部からハウジング１０に導かれた外部配線（図示せず）に電気的に接続する部位を有するバスバー３０とを備えている。この実施形態では、ハウジング１０の他に、発光ダイオード２、回路基板３、バスバー３０の部品を共有化している。又、ハウジング１０内には、少なくともバスバー３０と回路基板３を収容すれば良いため、組み付け作業性が良い。
【００７６】
第２態様のカバー５０は、光を透過しない部材で形成され、取付穴１０１に配置される円筒部５３を有し、円筒部５３の開口を閉塞する光透過性のインナー部材６０が前記ハウジングに収容されている。従って、第２態様のカバー５０の円筒部５３内の開口よりハウジング１０内に塵埃、水等の異物が入るのを防止できる。
【００７７】
ハウジング１０には、第２態様のカバー５０の円筒部５３を外側から覆い、円筒部５３からの光を外部に出射する第１キャップ７０や第２キャップ８０を装着可能に設けられている。従って、第２態様のカバー５０を装着した場合にあって、発光形態のバリエーションを増やすことができる。キャップの種類を増やすことによっても発光形態のバリエーションを増やすことができる。
【００７８】
第１キャップ７０には、照明取付部材１００の取付穴（キャップ用の取付穴は、図示せず）に取り付けるキャップ側取付部７５が設けられている。従って、第１キャップ７０を装着した照明ユニット１Ｂにあって、第１キャップ７０を利用して照明ユニット１Ｂを照明取付部材１００の取付穴に装着できる。尚、第１キャップ７０を取付ける取付穴は、この実施形態では、第２態様のカバー５０を取付ける取付穴１０１より大径のものとなる。
【００７９】
ハウジング１０の部品収容室１１の底壁１４には、バスバーガイドレール１６が設けられている。従って、バスバー３０を確実に、且つ、スムーズに部品収容室１１の挿入完了位置に移動できる。
【００８０】
ハウジング１０の部品収容室１１の底壁１４には、押圧部進入溝１８を設け、バスバー３０には押圧片部３６を設けたので、バスバー３０を容易に部品収容室１１の挿入完了位置に移動できる。又、押圧片部３６の大きさは、押圧部進入溝１８の隙間なく入り込んで移動する大きさに設定されているので、押圧片部３６がほとんど上下左右に変位することなく押圧部進入溝１８内を移動するため、バスバー３０のガイドとしても機能する。更に、バスバー３０を部品収容室１１内で移動させるに際して、押圧片部３６にのみ荷重を作用させ、基板接点部３１やタブ端子３２に荷重を作用させないため、基板接点部３１やタブ端子３２の変形防止になる。
【００８１】
バスバー３０には、ばね接点部３５に突起３８が設けられている。バスバー３０がハウジング１０に収容された位置（バスバー挿入完了位置）では、突起３８が仕切壁１３のバスバー規制壁２７に当接する（図１６（ｂ）参照）。そして、図１９に示すように、回路基板３が収容された状態では、ばね接点部３５が撓み変形するが、その際にばね接点部３５の過剰変形を防止できると共に、突起３８がバスバー規制壁２７に当接しているため、安定した接点圧を確保できる。
【００８２】
バスバー３０には、把持片部３９が設けられている。従って、バスバー３０をハウジング１０の部品収容室１１の適正な挿入開始位置、つまり、バスバーガイドレール１６に載せる作業が容易である。
【００８３】
第１態様のカバー４０には、バスバー抜け阻止用リブ４６が設けられている。第１態様のカバー４０がハウジング１０に装着された状態では、バスバー３０の把持片部３９がバスバー抜け方向に移動するのを阻止できる。
【００８４】
第２態様のカバー５０を装着した照明ユニット１Ｂでは、ハウジング１０の部品収容室１１にインナー部材６０を収容したので、第２態様のカバー５０の円筒部５３内より塵埃、水等の異物がハウジング１０の部品収容室１１に侵入するのを防止できる。
【００８５】
インナー部材６０には、一対のバスバー抜け防止肩面６２が設けられている。第２態様のカバー５０がハウジング１０に装着された状態では、バスバー３０の把持片部３９がバスバー抜け方向に移動するのを阻止できる。
【００８６】
バスバー３０と回路基板３が適正な状態に配置された部品収容室１１にインナー部材６０が収容された場合には、一対の側端自重受けリブ６３が一対のインナー部材保持溝２４に入り込んでその底面に載置され、且つ、先端自重受けリブ６５がハウジング１０のインナー部材支持台２２に載置され、インナー部材６２の自重をハウジング１０で受ける。従って、インナー部材６０をハウジング１０に組み込んだ後でも、インナー部材６０の自重が回路基板３や一対のバスバー３０に作用しないため、インナー部材６０が回路基板３やバスバー３０にダメージを与えることがない。
【００８７】
第１態様のカバー４０を装着した照明ユニット１Ａでは、回路基板３の挿入先端面の位置決め溝３ｂにハウジング１０の基板位置決め突起２６が入り込み、回路基板３の挿入後端面の位置決め溝３ｂに第１態様のカバー４０の基板位置決め突起４７が入り込むため、回路基板３がハウジング１０の部品収容室１１内に位置決めされた状態で収容される。
【００８８】
第２態様のカバー５０を装着した照明ユニット１Ｂでは、回路基板３の挿入先端面の位置決め溝３ｂにハウジング１０の基板位置決め突起２６が入り込み、回路基板３の挿入後端面の位置決め溝３ｂにインナー部材６０の基板位置決め突起６４が入り込むため、回路基板３がハウジング１０の部品収容室１１内に位置決めされた状態で収容される。
【００８９】
（変形例）
前記実施形態では、ハウジング１０にコネクタ嵌合室１２が設けられ、バスバー３０にタブ端子３２が設けられ、バスバー３０と外部から導かれた電線との間の電気的接続をコネクタ接続によって行うよう構成されているが、コネクタ接続以外で接続しても良い。例えば、バスバー３０に圧接刃端子を設け、バスバー３０と外部から導かれた電線との電線的接続を圧接接続によって行っても良い。
【００９０】
前記実施形態では、回路体は、回路基板３とバスバー３０より構成されているが、これに限定されるものではない。例えば、電子部品が搭載されたバスバー回路体より構成しても良い。この場合には、バスバー回路体に一体にタブ端子や圧接刃端子を設けることが好ましい。
【００９１】
前記実施形態では、バスバー３０の突起３８がハウジング１０のバスバー規制壁２７に当接するが、バスバー３０がハウジング１０内に収容され、且つ、回路基板３が未収容の時点では、突起３８がバスバー規制壁２７の面に当接せず、隙間を持って配置するようにしても良い。そして、ばね接点部３５が回路基板３に押圧されて変形した際に突起３８が仕切壁１３のバスバー規制壁２７に当接し、接点圧を確保しつつばね接点部３５の過剰変形を防止するようにしても良い。このような構成にすれば、バスバー３０のハウジング１０内への挿入抵抗を減らすことができ、バスバー３０の組付け作業性が向上する。
【００９２】
前記実施形態では、第２態様のカバー５０を装着する場合には、ハウジング１０内にインナー部材６０を収容するよう構成されているが、第２態様のカバー５０の円筒部５３内に光透過性部材を例えば二色成形によって設けた構成としても良い。
【００９３】
前記実施形態では、第１態様のカバー４０は、一種類であったが、カバー側取付部を有しないもので、発行形態の異なるものを複数種類用意すれば、カバー側取付部を有しないものにあって、発光形態のバリエーションを増やすことができる。
【００９４】
前記実施形態では、第２態様のカバー５０も一種類であったが、カバー側取付部５５を有するもので、発光形態の異なるものを複数種類用意すれば、カバー側取付部５５を有するものにあって、発光形態のバリエーションを増やすことができる。
【００９５】
前記実施形態では、第２キャップ８０には、第１キャップ７０のようなキャップ側取付部７５が設けられていないが、第２キャップ８０にもキャップ側取付部を設けても良い。
【符号の説明】
【００９６】
１Ａ，１Ｂ  照明ユニット
２  発光ダイオード（光源）
３  回路基板（回路体）
１０  ハウジング
２８  レンズカバー用ロック突起（ハウジング側取付部）
３０  バスバー（回路体）
４０  第１態様のカバー
５０  第２態様のカバー
５５  カバー側取付部
９０，１００  レンズカバー（照明取付部材）
１０１  取付穴
【図１】
2018118687.tif 000003
【図２】
2018118687.tif 000004
【図３】
2018118687.tif 000005
【図４】
2018118687.tif 000006
【図５】
2018118687.tif 000007
【図６】
2018118687.tif 000008
【図７】
2018118687.tif 000009
【図８】
2018118687.tif 000010
【図９】
2018118687.tif 000011
【図１０】
2018118687.tif 000012
【図１１】
2018118687.tif 000013
【図１２】
2018118687.tif 000014
【図１３】
2018118687.tif 000015
【図１４】
2018118687.tif 000016
【図１５】
2018118687.tif 000017
【図１６】
2018118687.tif 000018
【図１７】
2018118687.tif 000019
【図１８】
2018118687.tif 000020
【図１９】
2018118687.tif 000021
【図２０】
2018118687.tif 000022
【図２１】
2018118687.tif 000023
【図２２】
2018118687.tif 000024
【図２３】
2018118687.tif 000025
【図２４】
2018118687.tif 000026
【図２５】
2018118687.tif 000027
【図２６】
2018118687.tif 000028
【図２７】
2018118687.tif 000029